(57)【特許請求の範囲】
【請求項１】
住宅のバルコニー床部の外周縁部に沿って略垂直に立設されるパネル材の上端部に固定される笠木受け金具と、この笠木受け金具に支持される笠木とにより構成されるバルコニーの手摺の固定構造であって、
前記笠木受け金具は、前記パネル材の上端部への固定片部の両端部において厚さ方向に沿って上方に向かって突設された一対の笠木支持片部と、住宅外方側の笠木支持片部の外側から住宅外方へ突出する突部として形成された係合部と、住宅内方側の笠木支持片部の外側に設けられ笠木の固定孔を有する固定部とを備え、
この固定部は、上記笠木受け金具の住宅内方側から斜め上方に突出形成された断面Ｌ字状の折曲片を有し、この折曲片の先端が、前記笠木支持片部と共に笠木の裏面側に当接することにより、笠木を下方から支持するように構成されるとともに、前記折曲片と前記住宅内方側の笠木支持片部との間には、前記バルコニー床部に対面し、住宅内方側へ向かって斜め上方に傾斜する傾斜面部が形成され、この傾斜面部には固定孔が開設されており、
前記笠木には、前記笠木受け金具の上記係合部に係止される凹部として形成された係止部が形成され、さらに住宅内方側へ向かって膨出するとともに下方へ垂下して形成されることにより上記固定孔を側方から覆いうるオーバーハング部が形成され、
このオーバーハング部の内側には、上記固定孔と合致し上記固定孔を介して固定部材を挿通しうるネジ孔が形成され、このネジ孔は、上記固定孔と略同様の角度をもって形成され、該固定孔と所定間隔をおいて一直線上に合致するように構成されていることを特徴とするバルコニーの手摺の固定構造。
【発明の詳細な説明】
【０００１】
【発明の属する技術分野】
本発明は、バルコニーの手摺の固定構造に係り、特に、固定部材を用いて、より確実に固定することができるバルコニーの手摺の固定構造に関する。
【０００２】
【背景技術】
一般に、住宅のバルコニーは、住宅の壁面部から外方へ突出して設けられるバルコニー床部と、このバルコニー床部の外周縁部に上方へ向かって略垂直に立設されるパネル材とを有し、このパネル材の上端部には、手摺が設けられている。
図４に示すように、この手摺３３は、上記パネル材３４の上端部に、ナット３５及びワッシャー３６を介して取付られる笠木受け金具３７と、この笠木受け金具３７に支持される笠木３８とにより構成されている。
【０００３】
即ち、上記笠木受け金具３７には、パネル材３４の厚さ方向両端部において、上方へ向かって突出する一対の支持突部３９，３９が設けられ、これらの支持突部３９，３９の上端部には、係合部４０，４０が膨出形成されている。また、これら一対の支持突部３９，３９の下方には、それぞれ、一対の固定片４１，４１が外方へ突設されている。
【０００４】
一方、上記笠木３８は、断面コ字状に形成された、所定の長さ寸法を有するチャンネル材からなり、内部には、一対の係合片４２，４２が、互いに斜め方向へ突出して設けられている。
従って、従来のバルコニーの手摺の固定構造にあっては、上記パネル材３４の上端部に固定された笠木受け金具３７の上方から笠木３８を被せ、笠木３８の一方の端部４３を、笠木受け金具３７の一方の固定片４１に係止させるとともに上記係合片４２を笠木受け金具３７の一方の支持突部３９の係合部４０に係合させ、他方の係合片４２を弾性変形させつつ、上記他方の支持突部３９に係合させるとともに、笠木３８の他方の端部４３を笠木受け金具３７の他方の固定片４１に係合させて固定するように構成されている。尚、図中符号４４はパラペット部である。
【０００５】
【発明が解決しようとする課題】
しかしながら、このような従来のバルコニーの手摺の固定構造にあっては、笠木３８は笠木受け金具３７に係合して固定されるように構成されていたため、笠木３８の笠木受け金具３７への固定作業は容易である一方、笠木３８の笠木受け金具３７への強固な固定は不可能であった。
【０００６】
即ち、例えば、バルコニーへ重量物を置くような際に、その重量物の搬送中に、重量物が手摺３３にぶつかった場合等には、衝撃で笠木３８と笠木受け金具３７との係合が外れてしまう場合もあり、笠木３８を笠木受け金具３７により強固に固定することが望まれていた。
そこで、本発明の技術的課題は、笠木の笠木受け金具への固定の容易さを損なうことなく、笠木を笠木受け金具に強固に固定することにある。
【０００７】
また、本発明の技術的課題は、上記の技術的課題に加えて、上記笠木受け金具の固定部を居住者の目に触れないようにして、バルコニーの手摺の良好な外観品質を維持させることにある。
【０００８】
【課題を解決するための手段】
このような技術的課題解決のため、本発明にあっては、住宅のバルコニー床部の外周縁部に沿って略垂直に立設されるパネル材１０の上端部に固定される笠木受け金具１１と、この笠木受け金具１１に支持される笠木１２とにより構成されるバルコニーの手摺の固定構造であって、前記笠木受け金具１１は、前記パネル材１０の上端部への固定片部１７の両端部において厚さ方向に沿って上方に向かって突設された一対の笠木支持片部２１，２２と、住宅外方側の笠木支持片部２１の外側から住宅外方へ突出する突部として形成された係合部１４と、住宅内方側の笠木支持片部２２の外側に設けられ笠木１２の固定孔１５を有する固定部１６とを備え、この固定部１６は、上記笠木受け金具１１の住宅内方側から斜め上方に突出形成された断面Ｌ字状の折曲片２３を有し、この折曲片２３の先端が、前記笠木支持片部２１，２２と共に笠木１２の裏面側に当接することにより、笠木１２を下方から支持するように構成されるとともに、前記折曲片２３と前記住宅内方側の笠木支持片部２２との間には、前記バルコニー床部に対面し、住宅内方側へ向かって斜め上方に傾斜する傾斜面部２４が形成され、この傾斜面部２４には固定孔１５が開設されており、前記笠木１２には、前記笠木受け金具１１の上記係合部１４に係止される凹部として形成された係止部３０が形成され、さらに住宅内方側へ向かって膨出するとともに下方へ垂下して形成されることにより上記固定孔１５を側方から覆いうるオーバーハング部２７が形成され、このオーバーハング部２７の内側には、上記固定孔１５と合致し上記固定孔１５を介して固定部材２９を挿通しうるネジ孔２８が形成され、このネジ孔２８は、上記固定孔１５と略同様の角度をもって形成され、該固定孔１５と所定間隔をおいて一直線上に合致するように構成されていることを特徴とする。
【０００９】
従って、本発明にあっては、以下のような作用を有する。
即ち、本発明に係るバルコニーの手摺の固定構造によりバルコニーの手摺２０を形成しようとする場合には、上記パネル材１０の上端部に笠木受け金具１１を固定部材２９により固定し、上記笠木１２を、笠木１２に設けられた係止部３０を、上記笠木受け金具１１の係合部１４に係止させて笠木１２を笠木受け金具１１に支持させる。
【００１０】
この場合、上記笠木受け金具１１の固定孔１５と笠木１２に開設された挿通孔２８とは合致し、略一直線上に配置されるため、固定部材２９を上記固定孔１５及び挿通孔２８に挿通させて固定することにより、笠木１２を笠木受け金具１１に固定する。
このような本発明にあっては、以下のような効果を奏する。
【００１１】
即ち、本発明に係るバルコニーの手摺の固定構造にあっては、笠木１２を笠木受け金具１１に対して固定部材２９により固定するように構成されているため、笠木１２は笠木受け金具１１に対して強固に固定される。また、笠木受け金具１１の住宅外方側に突設された係合部１４に、笠木１２の住宅外方側に設けられた係止部３０を係合させるとともに、笠木受け金具１１の住宅内方側から斜め上方に突出形成された断面Ｌ字状の折曲片２３の先端を、笠木支持片部２１，２２と共に笠木１２の裏面側に当接させて笠木１２を下方から支持し、さらに笠木受け金具１１の住宅内方側に設けられた固定部１６における傾斜面部２４の固定孔１５を、笠木１２の挿通孔２８と合致させて、住宅内方側から固定部材２９を、上記固定孔１５及び挿通孔２８に挿通させることにより、笠木１２を笠木受け金具１１に固定するように構成されているため、笠木１２を笠木受け金具１１に固定する作業を行う場合に、施工作業が容易である。
【００１２】
従って、本発明に係るバルコニーの手摺の固定構造にあっては、笠木１２の笠木受け金具１１への固定の容易さを損なうことなく、笠木１２を笠木受け金具１１に強固に固定することができる。
【００１３】
また、本発明にあっては、笠木１２を笠木受け金具１１に固定する場合に、笠木１２の係止部３０を形成する凹部を、笠木受け金具１１の係合部１４を形成する突部に係止させた状態で、笠木１２を笠木受け金具１１に取付けることができる。この場合、固定孔１５と挿通孔２８とは合致するため、固定部材２９を固定孔１５及び挿通孔２８に挿通させて笠木１２を笠木受け金具１１に固定できるのである。
【００１４】
更に、本発明にあっては、笠木受け金具１１に笠木１２が取り付けられた場合には、固定部材２９を固定孔１５を介して挿通孔２８に挿通させ、該固定部材により締め付け固定することができる。
【００１５】
また、本発明にあっては、笠木１２が笠木受け金具１１に固定された場合に、笠木１２に形成されたオーバーハング部２７が上記笠木受け金具１１の側方を覆うため、住宅内方から上記固定孔１５及び固定部材２９が望見されることはない。
【００１６】
その結果、上記笠木受け金具１１の固定部１６が笠木１２のオーバーハング部２７により覆われ、居住者の目に触れないため、バルコニーの手摺２０の良好な外観品質を維持することも可能となる、という効果を奏するものである。
【００１７】
【発明の実施の形態】
以下、添付図面に示す実施の形態に基づき、本発明に係るバルコニーの手摺の固定構造を詳細に説明する。なお、従来と同一の部材には同一の符号を付して説明を省略する。
図１に示すように、本実施の形態に係るバルコニーの手摺の固定構造は、住宅のバルコニー床部の外周縁部に沿って略垂直に立設されるパネル材１０の上端部に固定される笠木受け金具１１と、この笠木受け金具１１に支持される笠木１２とにより構成されている。
【００１８】
上記笠木受け金具１１は、断面略Ｈ字状に形成され、所定長さを有する笠木受け金具本体部１３と、この笠木受け金具本体部１３から住宅外方側へ突出して設けられた係合突部１４と、笠木受け金具本体部１３から住宅内方側へ突出して設けられ、笠木１２の固定孔１５を有する固定部１６とを備えている。即ち、上記笠木受け金具本体部１３は、固定片部１７と、この固定片部１７の幅方向両端部において厚さ方向に沿って下方へ向かって突設された一対のパネル係止片部１８，１９と、同様に、上記固定片部１７の幅方向両端部において厚さ方向に沿って上方へ向かって突設された一対の笠木支持片部２１，２２とを備えている。
【００１９】
上記一対のパネル係止片部１８，１９の間は、パネル材１０の厚さ寸法と同一に形成され、これらのパネル係止片部１８，１９をパネル材１０の厚さ方向両端部に係止させるとともに固定部材としてのスクリュー釘２９によりパネル材１０の上端部に固定することができるように構成されている。
そして、本実施の形態にあっては、上記係合突部１４は、上記固定片部１７の住宅外方側の側端部から上記パネル係止片部１８及び笠木支持片部２１に対して略直角に外方へ向かって突設されている。
【００２０】
一方、上記固定部１６は、上記住宅内方側のパネル係止片部１９の外側面部から斜め上方へ断面略Ｌ字状に折曲して突出形成された折曲片２３を有している。この折曲片２３と前記住宅内方側の笠木支持片部２２との間には、斜め下方、即ちバルコニー床部に斜めに対面する傾斜面部２４が形成され、この傾斜面部２４には上記固定孔１５が開設されている。
また、その折曲端部３１は、上記笠木支持片部部２１，２２と同一平面上に位置し、笠木１２の裏面側に形成された被支持部２５に当接し、上記各笠木支持片部２１，２２と共に笠木１２を下方から支持するように構成されている。
【００２１】
一方、上記笠木１２は、所定の長さ寸法を有するとともに、上記パネル材１０の厚さ寸法よりも大きな幅寸法に形成され、断面略長法形状の閉断面構造に形成され、幅方向の一方へ突出して形成された膨出部２６と、幅方向の他方へ突出するとともに、下方へ垂下して形成されたオーバーハング部２７とを有している。また、裏面部側においては、上記膨出部２６とオーバーハング部２７との間には、凹状に形成された、笠木受け金具１１が当接する上記の被支持部２５が設けられている。
【００２２】
この被支持部２５は、パネル材１０の厚さ寸法よりも大きく形成されており、この被支持部２５において上記笠木受け金具１１が笠木１２に当接し、笠木１２を支持しうるように構成されている。
そして、上記被支持部２５の幅方向の一方の端部には、被支持部２５内方へ向かって開口し、笠木受け金具１１の上記係合突部１４に係止する係止凹部３０が形成されるとともに、上記オーバーハング部２７の内方においては、笠木１２が笠木受け金具１１にに取付られた場合には、上記固定孔１５と合致し、固定部材としてのスクリュー釘２９を挿通させうる挿通孔２８が設けられている。
【００２３】
この挿通孔２８は、本実施の形態にあってはネジ孔として形成され、上記固定孔１５が設けられた折曲片２３の傾斜面部２４の角度と同一の傾斜角を有する段部３２に開設されており、笠木受け金具１１上に笠木１２を取付けた際には、上記固定孔１５と挿通孔２８とが所定間隔をおいて一直線上に合致するように構成されている。
【００２４】
以下、本実施例に係るバルコニーの手摺の固定構造の作用を説明する。
本実施の形態に係るバルコニーの手摺の固定構造によりバルコニーの手摺２０を形成しようとする場合には、図２に示すように、先ず、上記パネル材１０の上端部に笠木受け金具をスクリュー釘２９により固定する。この場合、上述のように、上記一対のパネル係止片部１８，１９の間は、パネル材１０の厚さ寸法と同一に形成されているため、これら一対のパネル係止片部１８，１９によりパネル材１０の上端部に固定することができる。
【００２５】
その後、上記笠木１２を、笠木１２に設けられた係止凹部３０を、上記笠木１２の係合突部１４に係止させた状態で、オーバーハング部２７側を下方へ回動させて上記笠木受け金具１１の笠木支持片部２１，２２及び折曲片２３を笠木１２の被支持部２５に当接させて、笠木１２を支持させる。この場合、上記笠木受け金具１１の固定孔１５と笠木１２に開設された挿通孔２８とは、略一直線上に配置される。
【００２６】
そして、スクリュー釘２９を上記固定孔１５及び挿通孔２８に挿通させ、締め付け具を用いて締め付け固定することにより、笠木１２を笠木受け金具１１に固定する。
従って、図３に示すように、本実施の形態に係るバルコニーの手摺の固定構造にあっては、笠木１２を笠木受け金具１１に対してスクリュー釘２９により固定するように構成されているため、笠木１２は笠木受け金具１１に対して強固に固定される。
【００２７】
また、本実施の形態にあっては、上述のように、笠木受け金具１１の住宅外方側に突設された係合突部１４に、笠木１２の住宅外方側に設けられた係止凹部３０を係合させるとともに、笠木受け金具１１の住宅内方側に設けられた固定孔１５を、笠木１２の挿通孔２８と合致させて、住宅内方側からスクリュー釘２９を、上記固定孔１５及び挿通孔２８に挿通させることにより、笠木１２を笠木受け金具１１に固定するように構成されているため、笠木１２を笠木受け金具１１に固定する作業を行う場合に、作業者がバルコニー内において作業を行うことができ、施工作業が容易である。
【００２８】
また、笠木１２が笠木受け金具１１に固定された場合には、笠木１２に形成されたオーバーハング部２７が上記笠木受け金具１１の側方を覆うため、住宅内方から上記固定孔１５及び固定部材としてのスクリュー釘２９が望見されることはない。
従って、本実施の形態に係るバルコニーの手摺の固定構造にあっては、笠木１２の笠木受け金具１１への固定の容易さを損なうことなく、笠木１２を笠木受け金具１１に強固に固定することができる。
【００２９】
また、本実施の形態に係るバルコニーの手摺の固定構造にあっては、上記笠木受け金具１１の固定部１６が笠木１２のオーバーハング部２７により覆われ、居住者の目に触れないため、バルコニーの手摺２０の良好な外観品質を維持することも可能となる。
なお、上記実施の形態にあっては、上記笠木受け金具１１に係合突部１４が形成されるとともに、笠木１２に係合突部１４に係止する係止凹部３０が設けられている場合を例に説明したが、上記実施の形態に限定されず、笠木１２に係合突部が設けられるとともに笠木受け金具１１に係止凹部が設けられていてもよい。
【００３０】
また、上記実施の形態にあっては、笠木受け金具１１に設けられた固定部１６が、住宅内方側へ突設され、斜め下方へ向かう傾斜面部２４に開設された固定孔１５を有する場合を例に説明したが、固定孔１５の開口する角度に関しては上記実施の態様に限定されない。
更に、固定部材がスクリュー釘２９により構成されている場合を例に説明したが、上記実施の形態には限定されず、笠木１２を笠木受け金具１１に固定しうる部材であればよい。
【００３１】
また、笠木１２の具体的形状に関しても、上記実施の形態には限定されない。
【００３２】
【発明の効果】
本発明に係るバルコニーの手摺の固定構造にあっては、笠木を笠木受け金具に対して固定部材により固定するように構成されているため、笠木は笠木受け金具に対して強固に固定される。また、笠木受け金具の住宅外方側に突設された係合部に、笠木の住宅外方側に設けられた係止部を係合させるとともに、笠木受け金具の住宅内方側から斜め上方に突出形成された断面Ｌ字状の折曲片の先端を、笠木支持片部と共に笠木の裏面側に当接させて笠木を下方から支持し、さらに笠木受け金具の住宅内方側に設けられた固定部における傾斜面部の固定孔を、笠木の挿通孔と合致させて、住宅内方側から固定部材を、上記固定孔及び挿通孔に挿通させることにより、笠木を笠木受け金具に固定するように構成されているため、笠木を笠木受け金具に固定する作業を行う場合に、施工作業が容易である。
【００３３】
従って、本発明に係るバルコニーの手摺の固定構造にあっては、笠木の笠木受け金具への固定の容易さを損なうことなく、笠木を笠木受け金具に強固に固定することができる。
更に、本発明にあっては、上記笠木受け金具の固定部が笠木のオーバーハング部により覆われ、居住者の目に触れないため、バルコニーの手摺の良好な外観品質を維持することも可能となる、という効果を奏する。
【図面の簡単な説明】
【図１】本発明に係るバルコニーの手摺の固定構造の一実施の形態を示す断面図である。
【図２】本発明に係るバルコニーの手摺の固定構造の一実施の形態を示す断面図であって、笠木を笠木受け金具に固定する状態を示す図である。
【図３】本発明に係るバルコニーの手摺の固定構造の一実施の形態を示す断面図であって、笠木が笠木受け金具に固定された状態を示す図である。
【図４】従来のバルコニーの手摺の固定構造の一例を示す断面図である。
【符号の説明】
１０…パネル材、１１…笠木受け金具、１２…笠木、１３…笠木受け金具本体、１４…係合突部（係合部）、１５…固定孔、１６…固定部、１７…固定片部、１８…パネル係止片部、１９…パネル係止片部、２０…手摺、２１…笠木支持片部、２２…笠木支持片部、２３…折曲片、２４…傾斜面部、２５…被支持部、２６…膨出部、２７…オーバーハング部、２８…挿通孔、２９…スクリュー釘（固定部材）、３０…係止凹部（係止部）、３１…折曲端部、３２…段部、３３…手摺、３４…パネル材、３５…ナット、３６…ワッシャー、３７…笠木受け金具、３８…笠木、３９…支持突部、４０…係合部、４１…固定片、４２…係合片、４３…端部、４４…パラペット部。
【図１】
0003619582.tif 000002
【図２】
0003619582.tif 000003
【図３】
0003619582.tif 000004
【図４】
0003619582.tif 000005